(57)【特許請求の範囲】
【請求項１】
供給側テープリールから引き出された磁気テープがドラム入口側及び出口側に配置された傾斜ガイド及びテープガイドによってドラムのリードに沿ってヘリカルに巻き付けられ、キャプスタンを経て巻取側テープリールに巻き取られるテープ走行系を有する磁気記録再生装置において、
上記ドラムのリードはドラム出口側のリードの高さが、上記磁気テープが上記ドラム出口側のテープガイドによりローディングされる直前のテープ下エッジの高さに配置され、
かつ、上記ドラムに上記ドラム出口側のテープガイドの上下方向の高さを変えることなくローディングされたときのテープ走行系において磁気テープに生じる上下エッジのテンションのアンバランスを補正するためテープ走行系の途中で上記磁気テープにひねりを発生するようにし、
上記磁気テープのひねりは上記キャプスタンの上流側で上記ドラム出口側のテープガイド一本で行うようにしたことを特徴とする磁気記録再生装置。
【発明の詳細な説明】
【０００１】
【発明の属する技術分野】
本発明は、ＶＴＲ（ビデオ・テープ・レコーダ）等の磁気記録再生装置に関し、特に磁気テープが回転ドラムに例えば、Ｍローディングされる方式のテープローディングに係わるものである。
【０００２】
【従来の技術】
従来のこの種、ＶＴＲ装置の回転ドラムへのテープのＭローディング直前の正面図を図３に示す。
【０００３】
図３において、符号４１がテープ供給側に所定角度で傾斜配置されているドラムであり、周面にリード４２を有する固定側ドラム４３と、この固定側ドラム４３に対して回転する回転側ドラム４４とから構成されている。ドラム４１のテープ入口側には垂直姿勢状態の磁気テープを垂直ガイド４５を介してドラム４１のリード４２に沿ってヘリカルに巻き付ける傾斜ガイド４６が配置されている。また、ドラム４１の出口側にリード４２に沿ってヘリカルに引き出された磁気テープＴを案内する傾斜ガイド４７と垂直姿勢状態に案内する垂直ガイド４８が配置されている。
【０００４】
かくして、ドラム４１に巻き付けられた磁気テープは、ドラムの入口側において図示しない磁気ヘッドによりテープの下エッジ側からスキャンされてビデオ信号が書き込まれ、出口側ではテープの上エッジ側でスキャンされてビデオ信号が書き終わるようになっている。また、記録された磁気テープ上の記録トラックを再生ヘッドでトレースすることでビデオ信号を再生することができる。
【０００５】
【発明が解決しようとする課題】
ところで、上述した従来のＶＴＲ装置ではドラム４１への磁気テープのローディング直前においては、図３に示すようにドラム４１の出口側のリード４２ａより磁気テープＴの下エッジＴ1 が低くオーバーラップしている。このため、磁気テープＴがドラム４１に巻き付く過程においてテープの下エッジＴ1 が出口側のリード４２ａの下部のドラム面に摩擦接触してから下エッジＴ1 上に乗り上がる動作が行われる。
【０００６】
また、上述とは逆にドラム４１にローディングされている磁気テープがドラムからアンローディングされる直後においては、テープの下エッジＴ1 が出口側のリード４２ａに挟み込まれる摩擦を受けながらながらドラム４１から離れる動作が行われる。
【０００７】
しかし、上述したような磁気テープに受ける好ましくない障害は、磁気テープが例えばＶＨＳ方式等の比較的にテープ厚が有る磁気テープの場合ではテープエッジのダメージは殆ど受けないが、例えば長時間の記録／再生が可能な極めて薄形の磁気テープの場合にはテープエッジにダメージが発生するといった問題があった。
【０００８】
本発明は、上述したような課題を解消するためになされたもので、磁気テープが薄形の場合であってもドラムに対するテープローディング動作時及びアンローディング動作時においてリードによってテープエッジのダメージが発生することのない記録再生装置のテープローディングを得ることを目的とする。
【０００９】
【課題を解決するための手段】
上述の目的を達成するため、本発明による磁気記録再生装置は、供給側テープリールから引き出された磁気テープがドラム入口側及び出口側に配置された傾斜ガイド及びテープガイドによってドラムのリードに沿ってヘリカルに巻き付けられ、キャプスタンを経て巻取側テープリールに巻き取られるテープ走行系を有する磁気記録再生装置において、
ドラムのリードはドラム出口側のリードの高さが磁気テープがドラム出口側のテープガイドによりローディングされる直前のテープ下エッジの高さに配置され、かつ、ドラムにドラム出口側のテープガイドの上下方向の高さを変えることなくローディングされたときのテープ走行系において磁気テープに生じる上下エッジのテンションのアンバランスを補正するためテープ走行系の途中で上記磁気テープにひねりを発生するようにし、磁気テープのひねりはキャプスタンの上流側でドラム出口側のテープガイド一本で行うようにしたものである。
【００１０】
このように構成したことで、ドラムへの磁気テープのローディング及びアンローディング時に下エッジがリードに強く接触することがなく、テープダメージを防止することができる。しかも、ドラムにヘリカルに巻き付けられたときの磁気テープに発生する好ましくない障害を磁気テープにひねりを与えることで簡単に補正することができる。
【００１１】
また、ドラム出口側のリードの高さを磁気テープがドラムへローディングされる直前の下エッジの高さに配置したことで、特にドラム出口側のリードで受け易い磁気テープのダメージを解消するこきができる。
【００１２】
また、磁気テープのひねりはドラムの出口側で行うようにしたので、ドラムの入口側でテープにひねりを行う場合に比べて、移動するテープパス部材の少ないドラム出口側の方が効果的にひねりを発生させることができる。
【００１５】
【発明の実施の形態】
以下、本発明による記録再生装置のテープローディングの実施例をＶＴＲ装置に適用した例をとって図面を参照して説明する。
【００１６】
まず、図１を参照してＶＴＲ装置のテープ走行系について説明する。
符号１，２がメカシャーシ３上に配置されている一対の供給側リール台と巻取側リール台である。この両リール台１，２に仮想線で示したテープカセット４のテープ供給側リール５とテープ巻取側リール６が装着される。
【００１７】
テープカセット４のテープ供給側リール５より引き出された磁気テープＴは、固定式のガイドローラ７から供給側のテンションレギュレータアーム８のガイドローラ９、スライド部材１０に支持されたテープガイド１１及び傾斜ガイド１２を経て磁気ヘッドを有するテープ上流側に傾斜する回転ドラム１３の入口側より後述するリードに沿ってヘリカルに巻き付けられ、そして、磁気テープＴは回転ドラム１３の出口側より引き出されスライド部材１４に支持された傾斜ガイド１５及びテープガイド１６、キャプスタン１７及びピンチローラ１８を経て巻取側のテンションレギュレータアーム１９のガイドローラ２０を経て固定式のガイドローラ２１よりテープ巻取側リール６に巻き取られるテープ走行系を構成している。
【００１８】
ここで、両スライド部材１０，１４はメカシャーシ３に形成したスライド溝２２ａ，２２ｂに沿って図示しないローディングギアによりリンクを介してアンローディング位置に移動可能である。また、両スライド部材１０，１４は図１のローディング位置において固定ブロック２３，２４に位置決めされる。
【００１９】
供給側のテンションレギュレータアーム８は支点軸２５を回動支点として回動可能であり、コイルばね２６によりガイドローラ９に掛け渡した磁気テープＴにバックテンションを付与している。また、テンションレギュレータアーム８には上述した供給側リール台１に掛けたバンド２７の一端が支持され、バンド２７の他端はメカシャーシ３上の固定ピン２８に支持されている。
【００２０】
また、巻取側のテンションレギュレータアーム１９も支点軸２９を回動支点として回動可能であり、コイルばね３０によりガイドローラ２０に掛け渡した磁気テープＴにバックテンションを付与している。また、テンションレギュレータアーム１９にも上述した巻取側リール台２に掛けたバンド３１の一端が支持され、バンド３１の他端はメカシャーシ３上の固定ピン３２に支持されている。
【００２１】
さて、次に本発明の要部である回転ドラム１３に対するテープローディングを図２を参照して説明する。
【００２２】
図２は磁気テープＴが回転ドラム１３にローディングされる直前の正面図である。ここで、本発明による回転ドラム１３はリードＲの高さをローディング直前のテープパス状態にある磁気テープＴの下エッジＴ1 とオーバーラップしない高さに配置している。図２の例では出口側リードＲ1 とオーバーラップしない高さになるように低く配置されている。
【００２３】
ここで、リードＲが磁気テープの下エッジとオーバーラップさせない方法としては、ドラム１３を図３に示したように傾斜姿勢状態のまま下方へ移動させるようにしたり、あるいはドラムを図３の高さ位置の状態で前方へ所定角度傾斜させることによって可能である。
【００２４】
ところで、傾斜状態の回転ドラム１３のドラム面に磁気テープＴを均一な当たりでヘリカルにローディングさせるには、回転ドラム１３の傾斜角度に対してドラム出入口の傾斜ガイド１２，１５の傾斜角度及び傾斜方向を決定するかを計算に基づいて決定している。
【００２５】
このため、回転ドラム１３を単に低く配置しただけではドラム面に対するテープの当たりがアンバランスとなってしまう。すなわち、テープの上エッジのテンションが下エッジのテンションより高くなり、記録／再生特性上好ましくない不都合が発生する。この際、テープに生じる上下エッジのテンションのアンバランスはテープパスの全体において発生する。
【００２６】
そこで、本発明では上下エッジのテンションのアンバランスを補正するための手段として、テープの上エッジのテンションを抑え、下エッジのテンションと均一になる方向にテープにひねりを与えることで補正することができる。
【００２７】
テープにひねりを与える位置としてはドラムの入口側あるいは出口側のいずれのテープパスの箇所でもよいが、本発明の場合、テープにひねりを与える箇所として、ドラム出口側のテープガイド１６を利用しテープにひねりを与えている。
【００２８】
つまり、ドラム出口側のテープガイド１６でテープにひねりを与えることの利点は、図１で説明すると、例えばドラム入口側のテープガイド１１でテープにひねりを与えると、テープの上流側にテンションレギュレータアーム８と共に移動するガイドローラ９が存在するため、ひねりの効果が不安定となることがあげられる。これに対してドラム１３の出口側のテープガイド１６でひねりを行うと、テープの下流側はキャプスタン１７とピンチローラ１８とでテープが圧着されているため、テープのひねり効果を安定化することができる。
【００２９】
このように本発明によるテープローディングは、ドラム１３にテープがローディングされる際にリードＲの特に出口側リードＲ1 に対してテープの下エッジＴ1 が摩擦接触することもなくリードＲに沿ってローディングすることができ、また、ドラム１３からテープがアンローディングされる際にも出口側リードＲ1 にテープの下エッジＴ1 が挟み込まれるようなことが回避できる。これによって、テープの下エッジのテープダメージを未然に防止することができるので、特に薄い磁気テープの使用に好適である。
【００３０】
尚、ドラムの出口側リードとテープ下エッジとの高さ関係は、従来の場合が１．５ｍｍのオーバーラップであったが、本発明の場合はオーバーラップしないか、あるいは約０．４ｍｍ前後のオーバーラップに設定することでテープダメージを受けることはない。
【００３１】
本発明は、上述しかつ図面に示した実施例に限定されるものでなく、その要旨を逸脱しない範囲内で種々の変形実施が可能である。
【００３２】
実施例ではドラムの出口側リードＲ1 の高さをローディング直前のテープの下エッジＴ1 の高さに配置した場合について説明したが、ドラムの入口側リードあるいはドラム中央部のリードの高さをローディング直前のテープの下エッジＴ1 の高さに配置するようにしてもよい。いずれの場合においてもリード位置の最も高い部分の高さをローディング直前のテープの下エッジＴ1 の高さに配置することが必要である。
【００３３】
また、実施例では回転ドラム１３の出口側のテープガイド１６だけでテープにひねりを与えるようにしたが、このテープガイド１６と入口側のテープガイド１１とで半分ずつテープにひねりを与えるようにすることも勿論可能である。
【００３４】
また、実施例ではＶＴＲ装置のテープローディングを例にとって説明したが、その他、回転ドラムを使用してオーディオ信号を磁気テープに記録あるいは再生する記録再生装置についても広く適用可能である。
【００３５】
【発明の効果】
以上説明したように、本発明の磁気記録再生装置は、ドラム出口側のリードの高さが磁気テープがドラム出口側のテープガイドによりローディングされる直前のテープ下エッジの高さに配置され、かつ、ドラムにドラム出口側のテープガイドの上下方向の高さを変えることなくローディングされたときのテープ走行系において磁気テープに生じる上下エッジのテンションのアンバランスを補正するためテープ走行系の途中で上記磁気テープにひねりを発生するようにし、磁気テープのひねりはキャプスタンの上流側でドラム出口側のテープガイド一本で行うようにしたことで、テープローディング時及びアンローディング時におけるテープの下エッジのテープダメージを未然に防止することができ、特に薄い磁気テープの使用に好適であるといった効果がある。
【００３６】
また、ドラムのリードは出口側のリードの高さが磁気テープがドラムへローディングされる直前の下エッジの高さに配置したことによって、テープのローディング時及びアンローディング時に特にドラムの出口側のリードで受け易い磁気テープのダメージを解消することができる。
【００３７】
また、磁気テープのひねりはドラムの出口側で行うようにしたことによって、ドラムの入口側でテープにひねりを行う場合に比べて、移動するテープパス部材のないドラム出口側の方が効果的にひねりを発生させることができる。
【００３８】
また、磁気テープのひねりはキャプスタンの上流側でドラムの出口側のテープガイドで行うようにしたことによって、テープ上下エッジのアンパランスの補正を効果的に行うことができる。
【図面の簡単な説明】
【図１】本例のテープローディングをＶＴＲ装置に適用したテープ走行系の平面図である。
【図２】本発明によるドラムへのテープローディングの要部の正面図である。
【図３】従来のドラムへのテープローディングの正面図である。
【符号の説明】
１２，１５  傾斜ガイド、１３  回転ドラム、１１，１６  テープガイド、Ｒ
リード、Ｒ1 出口側リード、Ｔ  磁気テープ、Ｔ1 テープ下エッジ
【図１】
0003541556.tif 000002
【図２】
0003541556.tif 000003
【図３】
0003541556.tif 000004